(57)【要約】  【課題】リング状マグネットの圧環強度を高めて割れ難くし、且つ、表面コーティングを不要にしてリング状マグネットの品質性能を高める。  【解決手段】ロータ部１４は外周部にリング状マグネット１５を有し、該リング状マグネット１５には円筒状又はテープ状のカバーフィルム１９を、例えば熱収縮、或いは、熱溶着又は接着にて被着固定する。該カバーフィルム１９は、非磁性体である合成樹脂から成り、リング状マグネット１５の外周面全域に対し均等な圧力を付与して被着固定されることにより、該リング状マグネット１５の割れや破損を未然防止する。【選択図】  図１
2007228762.tif 000002
【特許請求の範囲】
【請求項１】
モータ軸の外周部に一体に固着されるリング状マグネットにおいて、該リング状マグネットの外周面に合成樹脂等の非磁性材から成るカバーフィルムを被着固定したことを特徴とするリング状マグネットの保護構造。
【請求項２】
上記カバーフィルムは上記リング状マグネットの外周面に熱溶着又は接着にて固定されていることを特徴とする請求項１記載のリング状マグネットの保護構造。
【請求項３】
上記カバーフィルムは円筒状に形成され、且つ、該カバーフィルムは上記リング状マグネットの外周面に被せて熱収縮させることにより固定されていることを特徴とする請求項１記載のリング状マグネットの保護構造。
【請求項４】
上記カバーフィルムは片面粘着剤付きのテープ状に形成されて成り、該カバーフィルムを上記リング状マグネットの外周面に巻き付けて粘着固定したことを特徴とする請求項１記載のリング状マグネットの保護構造。
【発明の詳細な説明】
【技術分野】
【０００１】
本発明はリング状マグネットの保護構造に関するものであり、特に、モータ軸の外周部に一体に固着されるリング状マグネットの保護構造に関するものである。
【背景技術】
【０００２】
従来、此種リング状マグネットを図３に基づいて説明する。該リング状マグネット１は、モータ軸２等と共にロータ部３を構成し、該ロータ部３はステータヨーク部（図示せず）の内面側に回転自在に配設されている。又、前記リング状マグネット１は所定の厚さを有する円筒形に形成され、該リング状マグネット１の材質としては、モータの種類や用途等に応じて、フェライト磁石、希土類系磁石、アルニコ磁石等の磁性材料が使用されている。
【０００３】
又、ロータ軸を含むロータ部と、該ロータ部と同軸上に設けられた複数の櫛歯状極部を有するステータヨーク部を備えた永久磁石型スッテピングモータにおいては、前記ロータ軸が圧入された連結部材に、リング状マグネットを固着したものが知られている（例えば、特許文献１参照）。
【特許文献１】特開平８−８８９６５号
【発明の開示】
【発明が解決しようとする課題】
【０００４】
上記従来のリング状マグネットは、脆性の高い磁性材料から成るため、圧環強度が弱くて割れ易いという欠点を有する。特に、リング状マグネットを着磁する際に微小なクラックが生じ易く、該クラックが徐々に成長してリング状マグネットにひび割れや破損を招来するという欠点がある。
【０００５】
又、希土類系磁石、例えば、ネオジウム系磁性材料から成るリング状マグネットは、防錆の観点から表面にコーティング処理を行う必要があるが、このコーティング処理時に、リング状マグネット自体に気泡等が発生しやすいため、該気泡等に起因してマグネット品質が安定しないという問題があった。
【０００６】
そこで、リング状マグネットの圧環強度を高めて割れ難くし、且つ、コーティング処理を不要にしてマグネット品質を安定させるために解決すべき技術的課題が生じてくるのであり、本発明は該課題を解決することを目的とする。
【課題を解決するための手段】
【０００７】
本発明は上記目的を達成するために提案されたものであり、請求項１記載の発明は、モータ軸の外周部に一体に固着されるリング状マグネットにおいて、該リング状マグネットの外周面に合成樹脂等の非磁性材から成るカバーフィルムを被着固定したリング状マグネットの保護構造を提供する。
【０００８】
この構成によれば、リング状マグネットの外周面には、合成樹脂等から成るカバーフィルムが被着固定されているので、該リング状マグネットはカバーフィルムにより補強され、該リング状マグネットの圧環強度が増大する。
【０００９】
請求項２記載の発明は、上記カバーフィルムは上記リング状マグネットの外周面に熱溶着又は接着にて固定されている請求項１記載のリング状マグネットの保護構造を提供する。
【００１０】
この構成によれば、カバーフィルムは、リング状マグネットの外周面に熱溶着又は接着によって一体に固着されるので、該マグネットに対するカバーフィルムの固定力が大きくなる。
【００１１】
請求項３記載の発明は、上記カバーフィルムは円筒状に形成され、且つ、該カバーフィルムは上記リング状マグネットの外周面に被せて熱収縮させることにより固定されている請求項１記載のリング状マグネットの保護構造を提供する。
【００１２】
この構成によれば、リング状マグネットの外周に円筒状のカバーフィルムを被せて、該カバーフィルムを熱収縮させると、カバーフィルムの内径寸法がリング状マグネットの中心に向かって均等に縮小する。このため、該カバーフィルムのリング状マグネット外周面に対する密着力が円周方向において均一になる。
【００１３】
請求項４記載の発明は、上記カバーフィルムは片面粘着剤付きのテープ状に形成されて成り、該カバーフィルムを上記リング状マグネットの外周面に巻き付けて粘着固定して成る請求項１記載のリング状マグネットの保護構造を提供する。
【００１４】
この構成によれば、カバーフィルムとしては、塩化ビニール等の合成樹脂により形成した片面粘着テープを使用でき、これをリング状マグネットの周囲に巻き付けることにより、リング状マグネットの外周面にカバーフィルムが貼着される。
【発明の効果】
【００１５】
請求項１記載の発明は、リング状マグネットはカバーフィルムにより補強され、該リング状マグネットの圧環強度が増大するので、該リング状マグネットの耐クラック性能が高くなり、リング状マグネットにひび割れなどの不具合が生ずることを未然に防止することができる。
【００１６】
又、カバーフィルムは、前記リング状マグネットの外周面にて防錆作用を有するので、該リング状マグネットに表面コーティングを施す必要がなく、従来に比べて品質性能が一層向上する。
【００１７】
請求項２記載の発明は、リング状マグネットにカバーフィルムが強固に被着固定されるので、請求項１記載の発明の効果に加えて、リング状マグネットの圧環強度が一層増大する。従って、たとえリング状マグネットが破損しても、リング状マグネットの破片が飛散することを確実に阻止できる。
【００１８】
請求項３記載の発明は、カバーフィルムはリング状マグネットの外周面に対して、円周方向において均等な圧力で密着するので、請求項１記載の発明の効果に加えて、リング状マグネットの円周方向において所要の圧環強度が均等に得られ、リング状マグネット全体として耐クラック性能が更に向上する。
【００１９】
請求項４記載の発明は、粘着テープ状のカバーフィルムは、リング状マグネットの外周面に巻き付けるのみで固着できるので、請求項１記載の発明の効果に加えて、該リング状マグネットへのカバーフィルムの固着を容易迅速、且つ、確実に行える。又、カバーフィルムとしては薄膜のテープ状のものを使用でき、圧環強度の高いリング状マグネットを安価に量産することもできる。
【発明を実施するための最良の形態】
【００２０】
本発明は、リング状マグネットの圧環強度を高めて割れ難くし、且つ、コーティング処
理を不要にでき、リング状マグネットの品質性能を向上させるという目的を、モータ軸の外周部に一体に固着されるリング状マグネットにおいて、該リング状マグネットの外周面に、合成樹脂等の非磁性材から成るカバーフィルムを被着固定したことによって達成した。
【実施例】
【００２１】
以下、本発明の好適な一実施例を図１及び図２に従って説明する。図１は本実施例に係る永久磁石型ステッピングモータＭの要部を示す断面図である。同図において、１０はモータケースであり、該モータケース１０内側にはステータヨーク部１１が固定されている。このステータヨーク部１１はヨーク１２を有し、該ヨーク１２には駆動用の励磁コイル１３が巻装されている。又、該ステータヨーク部１１の内面側にはロータ部１４が回転自在に配設されている。
【００２２】
前記ロータ部１４は、その外周部を構成するリング状（円筒状又は円環状）マグネット１５と、該リング状マグネット１５の上下両端内側面に固着された一対の鉄板製のブッシュ１６，１６と、該ブッシュ１６，１６の中心部を貫通して圧入固定されたモータ軸１７とを備えている。該モータ軸１７は軸受１８，１８を介して、前記モータケース１０に回転自在に取り付けられている。
【００２３】
リング状マグネット１５は、円周方向においてＮ極とＳ極が交互に多極着磁されている。而して、該リング状マグネット１５の材質としては、例えば、フェライト磁石、希土類系（Ｎｄ−Ｆｅ−Ｂ系）ボンド磁石、アルニコ磁石等の磁性材料を使用することができる。このリング状マグネット１５はカバーフィルム１９により被覆されており、該カバーフィルム１９は、非磁性体（電気絶縁体）である塩化ビニール等の合成樹脂により形成されている。
【００２４】
而して、カバーフィルム１９はその軸方向の長さが、前記リング状マグネット１５の軸方向の長さと同等もしくは若干長く設定されている。又、該カバーフィルム１９の軸方向の長さをリング状マグネット１５よりも寸法Ｌだけ長く形成した場合は、カバーフィルム１９の前記寸法Ｌに相当する部分をリング状マグネット１５端部の内周縁部側にコ字形に折曲形成させることにより、リング状マグネット１５端部の内周縁部分もカバーフィルム１９によって被着保護することができる。
【００２５】
前記カバーフィルム１９は、リング状マグネット１５の外周面全域に後述の固着手段にて被着されている。又、該カバーフィルム１９は、リング状マグネット１５外周面から内径方向中心へ向かって、一定の圧力が作用するように被着固定されている。この場合、前記リング状マグネット１５の中心へ向かう圧力は、該リング状マグネット１５外側面の円周方向において均等に作用している。
【００２６】
上記カバーフィルム１９をリング状マグネット１５に外装固定する際は、種々の固着方式を採択できる。例えば、リング状マグネット１５の外径よりも若干大きい内径を有する上下開放の円筒状カバーフィルム１９を用い、これをリング状マグネット１５の外側に被せて、そのままカバーフィルム１９を加熱して収縮させる。斯くして、カバーフィルム１９の径寸法が縮小することにより、カバーフィルム１９の内面がリング状マグネット１５の外周面に密着固定される。この場合、該カバーフィルム１９によりリング状マグネット１５の外周面全域には均一な圧力が作用する。
【００２７】
斯くして、該円筒状カバーフィルム１９によって被覆固着されたリング状マグネット１５は該カバーフィルム１９により補強され、該リング状マグネット１５の圧環強度が著しく増大する。特に、円筒状カバーフィルム１９をリング状マグネット１５の外周に被せて
熱収縮させると、該カバーフィルム１９はリング状マグネット１５の中心に向かって縮径して変形するため、該カバーフィルム１９はリング状マグネット１５外周面に対して、円周方向全領域において均一な圧力で密着固定される。
【００２８】
本実施例では、リング状マグネット１５は、その外周面に円筒状カバーフィルム１９が熱収縮して被着固定されているので、該リング状マグネット１５の円周方向において所要の圧環強度が均等に得られる。斯くして、リング状マグネット１５は全体として耐クラック性能が従来に比べて増大し、該リング状マグネット１５の割れや破損を未然に防止できる。仮にリング状マグネット１５が破損したとしても、該リング状マグネット１５の破片が周囲に飛散することを確実に阻止できる。
【００２９】
又、上記カバーフィルム１９は、リング状マグネット１５に対してコーティング処理と同等の防錆効果を有するので、該リング状マグネット１５として、例えば、ネオジウム系永久磁石を使用した場合でも、リング状マグネット１５の外周面に防錆用のコーティング処理を行う必要がない。
【００３０】
更に、前記コーティング処理を省略した場合は、リング状マグネット１５の素地面積が広くなるため、その分だけリング状マグネット１５の磁気性能がアップする。尚、必要により、リング状マグネット１５にコーティングを行うことがあるが、この場合は、コーティング膜を従来に比べてかなり薄く形成できるので、その分だけリング状マグネット１５の磁気性能が向上する。
【００３１】
上記の固定方式とは異なり、カバーフィルム１９を固定する際、リング状マグネット１５に前記カバーフィルム１９を被せたまま、該カバーフィルム１９を熱溶着させるか、或いは、接着剤にてリング状マグネット１５外周面全域にカバーフィルム１９を一体に貼着固定してもよい。このように構成すると、該リング状マグネット１５に対するカバーフィルム１９の固定力が大きくなるので、該リング状マグネット１５の圧環強度が一層増大する。
【００３２】
前述した固定方式とは更に異なり、カバーフィルム１９を固定する際、リング状マグネット１５の周長と略同等の周長を有する片面接着剤付きのテープ状カバーフィルム１９を用意し、これをリング状マグネット１５の外周面全域に巻き付けて、該リング状マグネット１５外面に所定のテンション圧が作用するように、テープ状カバーフィルム１９を粘着固定することもできる。
【００３３】
又、該テープ状カバーフィルム１９は、リング状マグネット１５の外周面に巻き付けるだけで粘着固定できるので、カバーフィルム１９の固着作業を容易迅速、且つ、確実に行うことができる。更に、該テープ状カバーフィルム１９としては、厚さの薄い合成樹脂製テープを使用できるので、材料費の節減が図られ、品質性能に優れたリング状マグネット１５を安価に量産することができる。
【００３４】
本発明は、本発明の精神を逸脱しない限り種々の改変を為すことができ、そして、本発明が該改変されたものに及ぶことは当然である。
【図面の簡単な説明】
【００３５】
【図１】本発明の一実施例を示し、リング状マグネットの斜視図。
【図２】一実施例に係るモータの要部断面図。
【図３】従来例を示す斜視図。
【符号の説明】
【００３６】
１１  ステータヨーク部
１２  ヨーク
１３  励磁コイル
１４  ロータ部
１５  リング状マグネット
１６  ブッシュ（連結部材）
１７  モータ軸
１９  カバーフィルム
【図１】
2007228762.tif 000003
【図２】
2007228762.tif 000004
【図３】
2007228762.tif 000005